【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
アッパーと、前記アッパーに固定されたソール構造とを有する履物製品であって、
前記アッパーは、一体のニット構造体で形成され靴下部分およびベロ部分を含むニット部品を備え、
前記靴下部分は、当該履物のかかと領域に足首開口部を形成し、かつ、当該履物の前記かかと領域と爪先領域との間を延びて、足を受け入れるための空洞を当該履物内に区画する、中空の構造を有し、
前記ベロ部分は、前記アッパーのスロート領域の長さの少なくとも一部を通って延び、かつ、互いに積層方向に隣接する2つのニット層を含む、長尺の構成を有している、履物製品。
【請求項２】
前記ニット層の一方が、前記スロート領域において前記靴下部分に接触している、請求項1に記載の履物製品。
【請求項３】
前記ベロ部分は前記空洞内に配置されている、請求項1又は請求項２に記載の履物製品。
【請求項４】
前記ベロ部分の第1の端が、前記靴下部分とともに一体のニット構造体で形成されており、前記ベロ部分の第2の端が前記靴下部分に縫製されており、前記第1の端が前記第2の端の反対側にある、請求項1から請求項３のいずれかに記載の履物製品。
【請求項５】
前記ニット層の周辺区域が互いに接合されており、前記ニット層の中央区域が互いに接合されていない、請求項1から請求項４のいずれかに記載の履物製品。
【請求項６】
前記アッパーは、前記かかと領域と前記爪先領域との間、および前記スロート領域と前記ソール構造との間を延びるカバー部品を含んでおり、前記ニット部品は、少なくとも一部が前記カバー部品内に配置されている、請求項1から請求項５のいずれかに記載の履物製品。
【請求項７】
前記カバー部品は前記ニット部品に固定されている、請求項6に記載の履物製品。
【請求項８】
前記ニット部品は前記カバー部品内で取り外し可能とされている、請求項6に記載の履
物製品。
【請求項９】
前記カバー部品は前記スロート領域に存在しておらず、前記スロート領域に配置された前記靴下部分の区域を露出している、請求項6から請求項８のいずれかに記載の履物製品。
【請求項１０】
紐が、前記スロート領域を横切って、前記カバー部品の両側の間を延びている、請求項9に記載の履物製品。
【請求項１１】
前記アッパーは、前記スロート領域と前記ソール構造との間の領域を通って延びる複数の伸張性のストランドと、前記伸張性のストランドに連結され、前記スロート領域を繰り返し横切って延びる紐とを含んでいる、請求項9に記載の履物製品。
【請求項１２】
アッパーと、前記アッパーに固定されたソール構造とを有する履物製品であって、前記アッパーは、
当該履物のかかと領域に足首開口部を形成し、かつ、当該履物の前記かかと領域と爪先領域との間を延びて、足を受け入れるための空洞を当該履物内に区画するニット部品であって、当該ニット部品の大部分が第1のニット層で形成されており、前記アッパーのスロート領域に配置された当該ニット部品の一部が前記第1のニット層、第2のニット層および第3のニット層を含む層構造を有しており、前記第1のニット層、前記第2のニット層および前記第3のニット層のそれぞれが一体のニット構造体で形成されている、ニット部品と、
前記ソール構造に固定され、前記スロート領域と前記ソール構造との間を延びるカバー部品とを備えており、
前記ニット部品は、少なくとも一部が前記カバー部品内に配置されている、履物製品。
【請求項１３】
前記カバー部品は前記ニット部品に固定されている、請求項12に記載の履物製品。
【請求項１４】
前記ニット部品は前記カバー部品内で取り外し可能とされている、請求項12に記載の履物製品。
【請求項１５】
前記第2のニット層および前記第3のニット層は前記空洞内に配置されている、請求項12から請求項14のいずれかに記載の履物製品。
【請求項１６】
前記第1のニット層は前記ニット部品の靴下部分であって、中空の構造を有している、請求項12から請求項15のいずれかに記載の履物製品。
【請求項１７】
前記第2のニット層および前記第3のニット層は前記ニット部品のベロ部分であって、前記スロート領域の長さの少なくとも一部を通って延びる長尺の構成を有している、請求項16に記載の履物製品。
【請求項１８】
前記第2のニット層は、前記第1のニット層と前記第3のニット層との間に配置されてお
り、前記第1のニット層および前記第3のニット層のそれぞれに接触している、請求項16に記載の履物製品。
【請求項１９】
前記第2のニット層および前記第3のニット層の周辺区域が互いに接合されており、前記第2のニット層および前記第3のニット層の中央区域が互いに接合されていない、請求項16に記載の履物製品。
【請求項２０】
前記カバー部品の区域が前記スロート領域に存在しておらず、前記スロート領域に配置された前記第1のニット層の区域を露出している、請求項12から請求項19のいずれかに記載の履物製品。
【請求項２１】
一体のニット構造体で形成され、靴下部分およびベロ部分を備えるニット部品であって、前記靴下部分は、足首開口部を形成し足を受け入れるための空洞を区画する、中空の構造を有しており、前記ベロ部分は、前記靴下部分の長さの少なくとも一部を通って延び、互いに積層方向に隣接する2つのニット層を含む、長尺の構成を有している、ニット部品。
【請求項２２】
前記2つのニット層の一方が前記靴下部分に接触している、請求項21に記載のニット部品。
【請求項２３】
前記ベロ部分は前記空洞内に配置されている、請求項21又は請求項22に記載のニット部品。
【請求項２４】
前記ベロ部分の第1の端が、前記靴下部分とともに一体のニット構造体で形成されており、前記ベロ部分の第2の端が前記靴下部分に縫製されており、前記第1の端が前記第2の端の反対側にある、請求項21から請求項23のいずれかに記載のニット部品。
【請求項２５】
前記ニット層の周辺区域が互いに接合されており、前記ニット層の中央区域が互いに接合されていない、請求項21から請求項24のいずれかに記載のニット部品。
【請求項２６】
履物製品を製造する方法であって、
環状編み処理を使用して、靴下と、前記靴下内に配置され、前記靴下の長さの少なくとも一部に沿って延びる、実質的に同一の広がりを持つ２つの層とを編むことにより、ニット部品を形成し、
前記履物製品のアッパーに前記ニット部品を組み込む、方法。
【請求項２７】
前記環状編み処理を使用するステップは、中空の構造を有するよう前記靴下を形成するステップを含む、請求項26に記載の方法。
【請求項２８】
前記ニット部品を組み込むステップは、（a）前記履物製品の爪先領域から、かかと領域へと延びるよう、前記靴下と、（b）前記アッパーのスロート領域の長さの少なくとも一部を通って延びるよう、前記実質的に同一の広がりを持つ前記２つの層とを配置するステップを含む、請求項26又は請求項27に記載の方法。
【請求項２９】
履物製品を製造する方法であって、
靴下部分およびベロ部分を含むニット部品を編むステップであって、前記靴下部分は中空の構造を有し、前記ベロ部分は、前記靴下部分から外側に向かって延び、かつ前記靴下部分内に配置された2つのニット層を含む、ステップと、
前記履物製品のアッパーに前記ニット部品を組み込むステップであって、前記靴下部分は、前記履物製品の爪先領域から、かかと領域へと延びるよう配置され、前記ベロ部分は、前記アッパーのスロート領域の長さの少なくとも一部を通って延びるよう配置されている、ステップとを含む、方法。
【請求項３０】
前記編むステップは、環状編み処理を使用するステップを含む、請求項29に記載の方法。
【請求項３１】
前記編むステップは、前記靴下部分に孔を形成するステップを含み、
前記組み込むステップは、前記アッパーの足首開口部を形成するよう、前記孔を配置するステップを含む、請求項29又は請求項30に記載の方法。
【請求項３２】
前記編むステップは、互いに実質的に同一の広がりを持つよう、前記2つのニット層を形成するステップと、前記2つのニット層の周辺区域を互いに接合するステップとを含む、請求項29から請求項31のいずれかに記載の方法。
【請求項３３】
前記組み込むステップは、前記ニット部品を、前記スロート領域と前記ソール構造との間を延びるカバー部品に接合するステップを含む、請求項29から請求項32のいずれかに記載の方法。
【手続補正２】
【補正対象書類名】図面
【補正対象項目名】図４Ａ
【補正方法】変更
【補正の内容】
【図４Ａ】
2015535443.tif 000001
【手続補正３】
【補正対象書類名】図面
【補正対象項目名】図４Ｂ
【補正方法】変更
【補正の内容】
【図４Ｂ】
2015535443.tif 000002